(57)【要約】  床面が濡れにくく、衛生上、美観上好ましい床面の状態を維持する上で有利な航空機用化粧室ユニットの床構造を提供すること。航空機用化粧室ユニット１０の躯体フレーム１２の底壁１２０２上に配置され化粧室１４の床面１４０２を構成するフロアパン２４Ａは、底壁１２０２に載置される下底板２６０２と、下底板２６０２から突設された支持壁２６１２と、支持壁２６１２により下底板２６０２上に形成された複数の収容室２６１４と、複数の収容室２６１４に対して開閉可能に支持壁２６１２に載置され化粧室１４の床面１４０２を構成する上底板２６１０とを備える。各収容室２６１４にそれぞれ収容取り出し可能に複数の吸水部材２８が設けられている。上底板２６１０に、上底板２６１０上に飛散した水を複数の収容室２６１４へ導く水案内部３２が設けられている。
2019230828.tif 000002
【特許請求の範囲】
【請求項１】
航空機用化粧室ユニットの躯体フレームの底壁上に配置され化粧室の床面を構成するフロアパンを備える航空機用化粧室ユニットの床構造であって、
前記フロアパンは、前記底壁に載置される下底板と、前記下板部の上方に位置し前記化粧室の床面を構成する上底板と、前記下底板または前記上底板の少なくとも一方から突設され前記下底板上で前記上底板を支持する支持壁と、前記支持壁により前記下底板上に形成され前記上底板により開閉される複数の収容室とを備え、
前記各収容室に収容取り出し可能に吸水部材が設けられ、
前記上底板に、前記上底板上に飛散した水を前記複数の収容室へ導く水案内部が設けられている、
ことを特徴とする航空機用化粧室ユニットの床構造。
【請求項２】
前記複数の収容室は細長状を呈し、その長手方向を平行させて並べられて設けられている、
ことを特徴とする請求項１記載の航空機用化粧室ユニットの床構造。
【請求項３】
前記支持壁は、前記下底板または前記上底板に互いに間隔をおいて突設され互いに平行して延在する複数の凸条部で形成され、
前記複数の収容室は、隣り合う前記凸条部の間に細長状に形成されている、
ことを特徴とする請求項２記載の航空機用化粧室ユニットの床構造。
【請求項４】
前記支持壁は、前記下底板または前記上底板に互いに間隔をおいて突設され互いに平行して延在する列を構成する複数の突起部で形成され、
前記複数の収容室は、隣り合う前記列の間に細長状に形成されている、
ことを特徴とする請求項２記載の航空機用化粧室ユニットの床構造。
【請求項５】
前記支持壁は、前記下底板または前記上底板に延在形成された単一の凸条部で形成され、
前記単一の凸条部は、互いに平行する直線部と、それら直線部の端部を接続する接続部とで構成され、
前記複数の収容室は、隣り合う前記直線部の間に細長状に形成されている、
ことを特徴とする請求項２記載の航空機用化粧室ユニットの床構造。
【請求項６】
前記躯体フレームは、前記底壁から起立する複数の壁板を有し、
前記複数の壁板のうちの１つの壁板に寄せて洗面台が配置され、前記複数の壁板のうちの他の壁板の幅方向の中間部に寄せて便器が配置され、
平面視した場合、前記複数の収容室は、前記洗面台が配置された前記壁板に対して離間接近する方向に間隔をおいて並べられ前記洗面台が配置された前記壁板に平行して直線状に延在し、あるいは前記便器が配置された前記壁板に対して離間接近する方向に間隔をおいて並べられ前記便器が配置された前記壁板に平行して直線状に延在している、
ことを特徴とする請求項２〜５の何れか１項記載の航空機用化粧室ユニットの床構造。
【請求項７】
上底板は、隣り合う複数の収容室毎に分割して複数設けられ、
前記複数の上底板は、平面視した場合、前記洗面台が配置された前記壁板に対して離間接近する方向に並べられ前記洗面台が配置された前記壁板に平行して直線状に延在する細長状を呈し、あるいは前記便器が配置された前記壁板に対して離間接近する方向に並べられ前記便器が配置された前記壁板に平行して直線状に延在する細長状を呈している、
ことを特徴とする請求項６記載の航空機用化粧室ユニットの床構造。
【請求項８】
前記複数の上底板の長手方向の端部に、指掛け用の欠部が設けられている、
ことを特徴とする請求項７記載の航空機用化粧室ユニットの床構造。
【請求項９】
前記吸水部材は、前記各収容室にそれぞれ収容取り出し可能に複数設けられている、
ことを特徴とする請求項１〜８の何れか１項記載の航空機用化粧室ユニットの床構造。
【請求項１０】
前記吸水部材は単一で、前記各収容室に前記吸水部材の部分が収容される、
ことを特徴とする請求項１〜８の何れか１項記載の航空機用化粧室ユニットの床構造。
【請求項１１】
前記吸水部材は抗菌剤または芳香剤を含んで構成されている、
ことを特徴とする請求項１〜１０の何れか１項記載の航空機用化粧室ユニットの床構造。
【発明の詳細な説明】
【技術分野】
【０００１】
本発明は、航空機用化粧室ユニットの床構造に関する。
【背景技術】
【０００２】
航空機用化粧室ユニットは、底壁と、底壁から起立する正面壁、背面壁と、一対の側面壁とを有しその内部が化粧室とされる躯体フレームを有している。
そして化粧室内で背面壁寄りの底壁の箇所に便器が配置され、一方の側面壁に沿って洗面台が配置されている。
洗面台は、カウンタテーブルと、カウンタテーブルの上面に設けられた洗面ボウル、水栓などを含んで構成されている。
カウンターテールの下方は、下部収容部となっており、上方は上部収容部となっている。
そして、便器の正面壁側である前方と、下部収容部の他方の側面壁側である側方の底壁の箇所にフロアパンが配置され、このフロアパンが化粧室の床面を構成している。
近年、航空路によっては、便器または洗面台の使用により化粧室の床面が濡れる現象が頻繁に生じている。
【先行技術文献】
【特許文献】
【０００３】
【特許文献１】ＷＯ２０１４/１４１７０１
【発明の概要】
【発明が解決しようとする課題】
【０００４】
床面が濡れていると、衛生上、美観上好ましくないため、客室乗務員がペーパータオルなどを用いて床面の水を拭き取る清掃作業を頻繁に行なう必要があり、何らかの改善が求められている。
本発明は前記事情に鑑み案出されたものであって、本発明の目的は、床面が濡れにくく、衛生上、美観上好ましい床面の状態を維持する上で有利な航空機用化粧室ユニットの床構造を提供することにある。
【課題を解決するための手段】
【０００５】
前記目的を達成するため、本発明は、航空機用化粧室ユニットの躯体フレームの底壁上に配置され化粧室の床面を構成するフロアパンを備える航空機用化粧室ユニットの床構造であって、前記フロアパンは、前記底壁に載置される下底板と、前記下板部の上方に位置し前記化粧室の床面を構成する上底板と、前記下底板または前記上底板の少なくとも一方から突設され前記下底板上で前記上底板を支持する支持壁と、前記支持壁により前記下底板上に形成され前記上底板により開閉される複数の収容室とを備え、前記各収容室に収容取り出し可能に吸水部材が設けられ、前記上底板に、前記上底板上に飛散した水を前記複数の収容室へ導く水案内部が設けられていることを特徴とする。
また、本発明は、前記複数の収容室は細長状を呈し、その長手方向を平行させて並べられて設けられていることを特徴とする。
また、本発明は、前記支持壁は、前記下底板または前記上底板に互いに間隔をおいて突設され互いに平行して延在する複数の凸条部で形成され、前記複数の収容室は、隣り合う前記凸条部の間に細長状に形成されていることを特徴とする。
また、本発明は、前記支持壁は、前記下底板または前記上底板に互いに間隔をおいて突設され互いに平行して延在する列を構成する複数の突起部で形成され、前記複数の収容室は、隣り合う前記列の間に細長状に形成されていることを特徴とする。
また、本発明は、前記支持壁は、前記下底板または前記上底板に延在形成された単一の凸条部で形成され、前記単一の凸条部は、互いに平行する直線部と、それら直線部の端部を接続する接続部とで構成され、前記複数の収容室は、隣り合う前記直線部の間に細長状に形成されていることを特徴とする。
また、本発明は、前記躯体フレームは、前記底壁から起立する複数の壁板を有し、前記複数の壁板のうちの１つの壁板に寄せて洗面台が配置され、前記複数の壁板のうちの他の壁板の幅方向の中間部に寄せて便器が配置され、平面視した場合、前記複数の収容室は、前記洗面台が配置された前記壁板に対して離間接近する方向に間隔をおいて並べられ前記洗面台が配置された前記壁板に平行して直線状に延在し、あるいは前記便器が配置された前記壁板に対して離間接近する方向に間隔をおいて並べられ前記便器が配置された前記壁板に平行して直線状に延在していることを特徴とする。
また、本発明は、上底板は、隣り合う複数の収容室毎に分割して複数設けられ、前記複数の上底板は、平面視した場合、前記洗面台が配置された前記壁板に対して離間接近する方向に並べられ前記洗面台が配置された前記壁板に平行して直線状に延在する細長状を呈し、あるいは前記便器が配置された前記壁板に対して離間接近する方向に並べられ前記便器が配置された前記壁板に平行して直線状に延在する細長状を呈していることを特徴とする。
また、本発明は、前記複数の上底板の長手方向の端部に、指掛け用の欠部が設けられていることを特徴とする。
また、本発明は、前記吸水部材は、前記各収容室にそれぞれ収容取り出し可能に複数設けられていることを特徴とする。
また、本発明は、前記吸水部材は単一で、前記各収容室に前記吸水部材の部分が収容されることを特徴とする。
また、本発明は、前記吸水部材は抗菌剤または芳香剤を含んで構成されていることを特徴とする。
【発明の効果】
【０００６】
本発明によれば、水がフロアパンの上底板の上面に飛散した場合、上底板の上面の水案内部上に飛散した水は、水案内部に導かれて収容室から吸水部材に至り、吸水部材により吸い取られる。
また、隣り合う水案内部の間の上底板の上面の箇所に飛散した水は、相互に付着しある程度の体積を持った水のかたまりとなり水案内部に到達すると、水案内部に導かれて収容室から吸水部材に至り、吸水部材により吸い取られる。
したがって、フロアパンの上底板の上面に飛散した水の大部分が水案内部を介して吸水部材に吸い取られるため、フロアパンの上底板の上面に残存する水は少なく、短時間のうちに上底板の上面から蒸発する。
したがって、手洗いなどによって上底板の上面に水が飛散し濡れたとしても、短時間で濡れた状態が解消するため、衛生上、美観上好ましい状態に化粧室を維持する上で有利となる。
また、客室乗務員がペーパータオルで化粧室の床面の水を拭き取る作業の必要頻度が低減し、清掃作業の簡素化を図る上で有利となる。
また、水を吸い取った吸水部材を交換する場合は、上底板を開き、あるいは上底板を取り外し、吸水部材を把持して収容室から取り出し、代わりに新しい吸水部材を収容室に挿入する簡単な作業で足り、化粧室のメンテナンス作業の簡素化を図る上で有利となる。
また、複数の収容室を細長状にすると、吸水部材を細長状に形成することで吸水部材の個数を削減でき、吸水部材の交換を簡単に行なう上で有利となる。
また、複数の収容室を仕切る支持壁は、複数の凸条部で、あるいは、列を構成する複数の突起部で、あるいは、単一の凸条部で簡単に形成することができる。
また、洗面台が寄せて配置される壁板や便器が寄せて配置される壁板に対して、平面視した場合、複数の収容室をそれら壁板に対して離間接近する方向に間隔をおいて並べそれら壁板に平行して直線状に延在させると、飛散する水が落ちる頻度が高い箇所と低い箇所を予測することで、化粧室のメンテナンス作業の簡素化を図る上で有利となる。
また、上底板を分割して複数設けると、一枚の上底板を開く毎に複数の吸水部材の交換を行なえ、化粧室のメンテナンス作業の簡素化を図る上で有利となる。
その場合に、複数の上底板の長手方向の端部に指掛け用の欠部を設けると、上底板の開閉を簡単に行なえ、化粧室のメンテナンス作業の簡素化を図る上で有利となる。
また、本発明において吸水部材は、収容室毎に複数設けてもよく、単一でもよい。
また、吸水部材を抗菌剤または芳香剤を含んで構成すると、臭いを抑制し、化粧室の衛生を確保する上で有利となる。
【図面の簡単な説明】
【０００７】
【図１】第１の実施の形態の説明図で、航空機用化粧室ユニットから一つの側面壁と扉を省いた状態の斜視図である。
【図２】複数の吸水部材が配置されたフロアパンの斜視図である。
【図３】開閉用操作部の部分の拡大斜視図である。
【図４】全ての上底板を取り外した状態のフロアパンの斜視図である。
【図５】上底板を取り外した支持壁、収容部、吸水部材部分の拡大斜視図である。
【図６】一枚の上底板を取り外した状態のフロアパンの斜視図である。
【図７】第２の実施の形態の説明図で、全ての上底板を取り外した状態のフロアパンの斜視図である。
【図８】上底板を取り外した支持壁、収容部、吸水部材部分の拡大斜視図である。
【図９】第３の実施の形態の説明図で、航空機用化粧室ユニットから一つの側面壁と扉を省いた状態の斜視図である。
【図１０】全ての上底板を取り外した状態のフロアパンの概略平面図である。
【図１１】図１０の要部を拡大した平面図である。
【図１２】第４の実施の形態の説明図で、（Ａ）は複数の吸水部材が配置された下底板の上方に、支持壁を有する上底板が位置した図、（Ｂ）は支持壁の下端が下底板に載置され、隣り合う支持壁の間の収容室に吸水部材が収容取り出し可能に配置された図である。
【図１３】第５の実施の形態の説明図で、（Ａ）は単一の吸水部材が配置された下底板の上方に、支持壁を有する上底板が位置した図、（Ｂ）は支持壁の下端が吸水部材を介して下底板に載置され、隣り合う支持壁の間の収容室に吸水部材の部分が配置された図である。
【発明を実施するための形態】
【０００８】
次に、図面を参照して本実施の形態について説明する。
（第１の実施の形態）
図１に示すように、航空機用化粧室ユニット１０は、底壁１２０２と、底壁１２０２から起立する複数の壁板と、天井１２１０とを有しその内部が化粧室１４とされる躯体フレーム１２を備えている。
本実施の形態では、複数の壁板のうちの１つは正面壁１２０４であり、１つは正面壁１２０４に対向する背面壁１２０６であり、残りの二つは、背面壁１２０６の両側と正面壁１２０４の両側を接続する一対の側面壁１２０８であり、したがって壁板は４つ設けられている。
本実施の形態では、正面壁１２０４に出入口１２１２が設けられ、背面壁１２０６の前方に内壁１２１４が設けられ、便器１６は内壁１２１４を介して底壁１２０２上に設けられている。
また、一方の側面壁１２０８に洗面台１８が設けられている。
なお、一方の側面壁１２０８に洗面台１８が設けられ、他方の側面壁１２０８に出入口１２１２が設けられる場合や、一方の側面壁１２０８に出入口１２１２が設けられ、正面壁１２０４に洗面台１８が設けられる場合などもあり、化粧室１４内のレイアウトは、図１の構造に限定されず、また、平面視した場合の化粧室１４の形状も様々であり、壁板の数は４つに限定されない。
【０００９】
洗面台１８は、カウンタテーブル１８０２と、カウンタテーブル１８０２に設けられた洗面ボウル１８０４、水栓１８０６などを含んで構成され、洗面台１８は、便器１６の側方で一方の側面壁１２０８に沿って延在している。
洗面台１８の下方は、消火機能付きのごみ箱装置や化粧室１４の備品などが収容される下部収納部２０となっており、下部収納部２０は複数の扉２００２、２００４により開閉可能であり、図１において、符号２００６はごみ投入口を示している。
洗面台１８の上方は、ティッシュペーパーなどの化粧室１４の備品が収容される上部収納部２２となっており、上部収納部２２は鏡付きの複数の扉２２０２、２２０４により開閉される。
【００１０】
そして、便器１６の前方（正面壁１２０４側）と、下部収納部２０の側方（他方の側面壁１２０８側）の底壁１２０２の箇所にフロアパン２４Ａが配置され、このフロアパン２４Ａが化粧室１４の床面１４０２を構成している。
図１〜図６に示すように、フロアパン２４Ａは、フロアパン本体２６を備え、吸水部材２８がフロアパン本体２６に配置されている。
フロアパン本体２６は、下底板２６０２と、一対の側面板２６０４Ａ、２６０４Ｂと、背面板２６０６と、正面板２６０８と、上底板２６１０と、支持壁２６１２と、収容室２６１４とを有し、下底板２６０２、一対の側面板２６０４Ａ、２６０４Ｂ、背面板２６０６、正面板２６０８、支持壁２６１２は一体成形され、上底板２６１０は別部材で形成されている。
なお、躯体フレーム１２とフロアパン本体２６は共に合成樹脂製であるが、フロアパン本体２６を軽量で剛性を有する金属製にするなど任意である。
【００１１】
下底板２６０２は、躯体フレーム１２の底壁１２０２に載置される箇所である。
一対の側面板２６０４Ａ、２６０４Ｂは、躯体フレーム１２の一対の側面壁１２０８寄りの下底板２６０２の縁から起立している。
背面板２６０６は、躯体フレーム１２の内壁１２１４寄りの下底板２６０２の縁から起立し、背面板２６０６の延在方向の中央部に便器１６の下部の部分を収容する収容室２６０６Ａが設けられている。
正面板２６０８は、躯体フレーム１２の出入口１２１２寄りの下底板２６０２の縁から起立している。
正面板２６０８は出入口１２１２寄りの縁から起立しているものの、躯体フレーム１２の出入口１２１２の輪郭に沿って正面板２６０８の大半は切り欠かれ、正面板２６０８は出入口１２１２の幅方向の端部にのみ位置している。
【００１２】
なお、図１に示すように、背面壁１２０６寄りのカウンタテーブル１８０２の箇所よりも洗面ボウル１８０４が設けられたカウンタテーブル１８０２の箇所が化粧室１４内に突出しており、これに対応して背面壁１２０６寄りの下部収納部２０の箇所２０Ａよりも洗面ボウル１８０４の下方の下部収納部２０の箇所２０Ｂが化粧室１４内に突出している。
このため、フロアパン本体２６の下部収納部２０側の箇所は、このような下部収納部２０の輪郭に合致した形状で形成されている。
【００１３】
詳細には、一対の側面板２６０４Ａ、２６０４Ｂを結ぶ方向をフロアパン本体２６の幅方向とすると、フロアパン２４Ａを平面視した場合、洗面ボウル１８０４の下方の下部収納部２０の箇所２０Ｂでは幅方向の寸法が小さい幅狭部２６２０となっており、洗面ボウル１８０４の下方の下部収納部２０よりも背面壁１２０６寄りの箇所２０Ａでは幅方向の寸法が大きい幅広部２６２２となっている。
フロアパン２４Ａを平面視した場合、洗面台１８と反対側の側面壁１２０８寄りの下底板２６０２の縁と、洗面台１８と反対側の側面板２６０４Ａは直線状に延在し、洗面台１８側の側面壁１２０８寄りの下底板２６０２の縁と、洗面台１８側の側面板２６０４Ｂは、幅狭部２６２０と幅広部２６２２との境の箇所で湾曲している。
また、図１に示すように、幅狭部２６２０の幅方向の端部の上方に洗面ボウル１８０４が位置し、内壁１２１４寄りの下底板２６０２の縁と出入口１２１２寄りの下底板２６０２の縁とを結ぶ方向をフロアパン本体２６の長手方向とすると、フロアパン本体２６の長手方向の端部の上方に便器１６が位置している。
【００１４】
図３、図４に示すように、支持壁２６１２は、下底板２６０２に互いに間隔をおいて突設され互いに平行して延在する複数の凸条部３０で形成されている。
それら凸条部３０は、平面視した場合、洗面台１８が設けられる側の躯体フレーム１２の側面壁１２０８に離間接近する方向に間隔をおき側面壁１２０８に平行して直線状に延在している。
各凸条部３０は断面が矩形状を呈し、一定の幅、一定の高さで形成され、図４、図６に示すように、幅広部２６２２の端部では凸条部３０、後述する収容室２６１４および吸水部材２８の長さは他の箇所に比べて短く形成されている。
なお、凸条部３０の幅や複数の凸条部３０間の間隔は、それら凸条部３０の上に上底板２６１０が載置されその上に利用者が乗った場合に、上底板２６１０を変形させることなく上底板２６１０を支持できる寸法で形成されている。
【００１５】
複数の収容室２６１４は、下底板２６０２上で隣り合う凸条部３０の間に細長状にかつ直線状に延在形成され、上部は開放されている。詳細には、一対の側面板２６０４Ａ、２６０４Ｂ寄りの箇所では、それら一対の側面板２６０４Ａ、２６０４Ｂと、それら一対の側面板２６０４Ａ、２６０４Ｂに対向する凸条部３０との間に収容室２６１４が形成されている。
本実施の形態では、平面視した場合、複数の収容室２６１４は、洗面台１８が設けられる側面壁１２０８に対して離間接近する方向に間隔をおいて並べられ側面壁１２０８に平行して直線状に延在している。
【００１６】
図２、図３、図５、図６に示すように、複数の吸水部材２８は、細長状の各収容室２６１４に収容取り出し可能に細長状に設けられている。
吸水部材２８は、収容室２６１４の断面に対応した断面で形成され、したがって、断面は矩形で細長状に形成されている。
本実施の形態では、吸水前の吸水部材２８は、その高さが支持壁２６１２の高さよりも十分に小さい寸法で形成され、吸水部材２８による給水量が大きく確保されている。
吸水部材２８として、例えば、吸水性高分子などの従来公知の様々な高い吸水性を有する吸水シートなどが使用可能である。
また、吸水部材２８として、抗菌剤が配合された抗菌性吸水シート、あるいは、除菌剤が配合された除菌性吸水シートを用いると、吸収した水に雑菌が繁殖することを抑制できるため、臭いを抑制し、化粧室１４の衛生を確保する上で有利となり、より衛生的な機能を付与することができる。
また、吸水部材２８として、芳香剤が配合された芳香性吸水シートを用いると、臭いを抑制し、化粧室１４の衛生を確保する上で有利となり、より衛生的な機能を付与することができる。
【００１７】
図２、図３、図６に示すように、上底板２６１０は、支持壁２６１２の上に載置されることで、下底板２６０２の上方に離れた箇所に位置し、化粧室１４の床面１４０２を構成する。
すなわち、上底板２６１０は複数の支持壁２６１２、収容室２６１４、吸水部材２８を隠して化粧室１４の床面１４０２を構成する。
上底板２６１０のほぼ全域には、上底板２６１０上に飛散した水を収容室２６１４へ導く複数の水案内部３２が設けられている。
水案内部３２は、本実施の形態では、上底板２６１０の貫通形成された円形の孔３２０２で構成されている。
支持壁２６１２に載置される上底板２６１０の底面に位置する孔３２０２の開口は、平面視した場合、収容室２６１４の内側の輪郭内に入るように設けられ、上底板２６１０上に飛散した水が吸水部材２８に円滑に吸水されるように図られている。
なお、水案内部３２の形状は孔３２０２に限定されず、溝等であってもよく、要するに、上底板２６１０上に飛散した水を収容室２６１４へ導くことができる構造であればよい。
【００１８】
上底板２６１０は、収容室２６１４に対して開閉可能に支持壁２６１２に載置され、客室乗務員による吸水部材２８の交換が簡単に行なえるように図られている。
本実施の形態では、上底板２６１０は隣り合う複数の収容室２６１４毎に分割してそれぞれ開閉可能に設けられ、各上底板２６１０を開くと、各上底板２６１０で隠されていた複数の収容室２６１４の全域と複数の吸水部材２８の全体が露出し、吸水部材２８の交換がさらに簡単に行なえるように図られている。
詳細には、平面視した場合、洗面台１８が設けられる側の躯体フレーム１２の側面壁１２０８に平行して直線状に延在する細長の４枚の上底板２６１０Ａ、２６１０Ｂ、２６１０Ｃ、２６１０Ｄが、側面壁１２０８に離間接近する方向に並べられて設けられている。
４枚の上底板２６１０Ａ、２６１０Ｂ、２６１０Ｃ、２６１０Ｄの長手方向の端部に開閉用操作部３４が設けられ、４枚の上底板２６１０Ａ、２６１０Ｂ、２６１０Ｃ、２６１０Ｄの開閉が円滑になされるように図られている。
本実施の形態では、開閉用操作部３４は指掛け用の欠部として形成されているが、リング状の把手で形成するなど開閉用操作部３４の構造には、従来公知の様々な構造が採用可能である。
また、本実施の形態では、４枚の上底板２６１０Ａ、２６１０Ｂ、２６１０Ｃ、２６１０Ｄの出入口１２１２側の縁に開閉用操作部３４が設けられ、目立たない箇所に開閉用操作部３４を配置することで化粧室１４の美観を確保するようにしているが、開閉用操作部３４が設けられる箇所は上底板２６１０の長手方向の端部に限定されない。
なお、例えば、背面板２６０６側の各上底板２６１０の長手方向の端部をヒンジを介して下底板２６０２や支持壁２６１２に対して揺動可能に設けるようにしてもよいが、本実施の形態では、構造の簡素化を図るため、各上底板２６１０を取り外し可能に設けている。
【００１９】
次に作用効果について説明する。
利用者が化粧室１４に入り床面１４０２に立っても、上底板２６１０は支持壁２６１２で支持され上底板２６１０が利用者の体重により凹むことがないので、利用者が不快感を感じることは無く、吸水部材２８が潰されることもない。
また、複数の収容室２６１４と複数の吸水部材２８が上底板２６１０により隠されているので、化粧室１４の美観を損なうこともない。
そして、利用者が洗面台１８の洗面ボウル１８０４で手を洗うことで、水がフロアパン２４Ａの上底板２６１０の上面に飛散する。
あるいは、利用者が便器１６の蓋を開け、便座に座って用を足す場合、あるいは、便座を上げて立ったまま用を足す場合に、尿がこぼれて尿がフロアパン２４Ａの上底板２６１０の上面に飛散する。
あるいは、礼拝の前に体の一部を洗う清めの行為として、利用者が便器１６の蓋を開け、便座上で足を洗うことなどで、水がフロアパン２４Ａの上底板２６１０の上面に飛散する。
そして、上底板２６１０の上面の水案内部３２上に飛散した水や尿（以下単に水という）は、上底板２６１０の上面よりも水案内部３２の内部は低い箇所に位置することから、上底板２６１０の上面から水案内部３２に導かれ、収容室２６１４から吸水部材２８に至り、吸水部材２８により吸い取られる。
また、隣り合う水案内部３２の間の上底板２６１０の上面の箇所に飛散した水は、相互に付着しある程度の体積を持った水のかたまりとなり水案内部３２に到達すると、上底板２６１０の上面よりも水案内部３２の内部は低い箇所に位置することから、上底板２６１０の上面から水案内部３２に導かれ、収容室２６１４から吸水部材２８に至り、吸水部材２８により吸い取られる。
したがって、フロアパン２４Ａの上底板２６１０の上面に飛散した水の大部分が水案内部３２を介して吸水部材２８に吸い取られるため、フロアパン２４Ａの上底板２６１０の上面に残存する水は少なく、短時間のうちに上底板２６１０の上面から蒸発する。
【００２０】
したがって、手洗いなどによって上底板２６１０の上面に水が飛散し濡れたとしても、短時間で濡れた状態が解消するため、衛生上、美観上好ましい状態に化粧室１４を維持する上で有利となる。
また、客室乗務員がペーパータオルで化粧室１４の床面１４０２の水を拭き取る作業の必要頻度が低減し、清掃作業の簡素化を図る上で有利となる。
【００２１】
また、水を吸い取った吸水部材２８を交換する場合は、開閉用操作部３４に指を掛けて上底板２６１０を開き、あるいは上底板２６１０を取り外し、吸水部材２８を把持して収容室２６１４から取り出し、代わりに新しい吸水部材２８を収容室２６１４に挿入する簡単な作業で足り、化粧室１４のメンテナンス作業の簡素化を図る上で有利となる。
本実施の形態では、複数の収容室２６１４が細長状を呈しているので、吸水部材２８を細長状に形成することで吸水部材２８の個数を削減でき、吸水部材２８の交換を簡単に行なう上で有利となる。
また、上底板２６１０は１枚で構成してもよいが、本実施の形態では、上底板２６１０が複数に分割されているので、一枚の上底板２６１０を開く毎に複数の吸水部材２８の交換を行なえ、化粧室１４のメンテナンス作業の簡素化を図る上で有利となる。
また、一枚の上底板２６１０を開いた際に、吸水能力の限界まで水を吸い取った吸水部材２８のみを交換し、吸水能力が残っている吸水部材２８をそのまま存置させるなどの細かい対応をとることができ、吸水部材２８の廃棄個数を減少させコストダウンを図る上で有利となる。
また、一枚の上底板２６１０を開き、露出する複数の吸水部材２８が全て吸水能力を有している場合には、吸水部材２８を交換することなくそのまま上底板２６１０を閉じればよく、化粧室１４のメンテナンス作業の簡素化を図る上で有利となる。
【００２２】
また、本実施の形態では、躯体フレーム１２の側面壁１２０８に平行して直線状に延在する細長の４枚の上底板２６１０Ａ、２６１０Ｂ、２６１０Ｃ、２６１０Ｄが、側面壁１２０８に離間接近する方向に並べられて設けられているので、洗面台１８側に位置する２枚の上底板２６１０Ｃ、２６１０Ｄは、洗面台１８から飛散する水が落ちる頻度が高く、洗面台１８から離れた２枚の上底板２６１０Ａ、２６１０Ｂは、洗面台１８から飛散する水が落ちる頻度が低いことが考えられる。
したがって、客室乗務員は、洗面台１８側に位置する２枚の上底板２６１０Ｃ、２０１０Ｄを開いて吸水部材２８の交換を行ない、洗面台１８から離れた２枚の上底板２６１０Ａ、２６１０Ｂについては、吸水部材２８に吸水能力が残っていることを確認するために上底板２６１０Ａ、２６１０Ｂを開閉する作業で足りるため、化粧室１４のメンテナンス作業の簡素化を図る上で有利となる。
すなわち、飛散する水が落ちる頻度が高い箇所と低い箇所を予測することで、化粧室１４のメンテナンス作業の簡素化を図る上で有利となる。
【００２３】
また、フロアパン２４Ａの上底板２６１０の上面を疎水性を有する疎水面として水を弾きやすい状態にしておくと、上底板２６１０の上面に飛散した水は上面の疎水面で弾かれて水案内部３２に導かれやすくなる。
また、水案内部３２の表面を親水性を有する親水面として水に濡れやすい状態にしておくと、上底板２６１０の上面から水案内部３２に導かれた水が水案内部３２に沿って広がりやすくなり、水案内部３２から収容室２６１４へ水が導かれやすくなる。
このように上底板２６１０の上面を疎水面とすると共に、水案内部３２の表面を親水面とすると、上底板２６１０の上面に飛散した水が効率的に水案内部３２を介して吸水部材２８に吸い取られ、フロアパン２４Ａの上底板２６１０の上面に残存する水をより少なくし、より短時間のうちに上底板２６１０の上面から蒸発させる上でより有利となる。
【００２４】
（第２の実施の形態）
次に第２の実施の形態について図７、図８を参照して説明する。
なお、以下の実施の形態の説明では、第１の実施の形態と同様な箇所、部材に同一の符号を付してその説明を省略し異なった箇所を重点的に説明する。
第２の実施の形態のフロアパン２４Ｂでは、支持壁２６１２の構造が第１の実施の形態と異なっている。
すなわち、第２の実施の形態では、支持壁２６１２は、下底板２６０２に互いに間隔をおいて突設され互いに平行して延在する列３６を構成する複数の突起部３８で形成されている。
複数の突起部３８は同形同大で断面が円形を呈しているが、断面は円形に限定されず、従来公知の様々な形が採用可能である。
【００２５】
そして、複数の収容室２６１４は、隣り合う列３６の間に細長状に形成され、吸水部材２８は、細長状の各収容室２６１４に収容取り出し可能に細長状に形成されている。なお、幅広部２６２２の端部では列３６、収容室２６１４、吸水部材２８の長さは他の箇所に比べて短く形成されている。
それら列３６１２は、平面視した場合、洗面台１８が設けられる側の躯体フレーム１２の側面壁１２０８に離間接近する方向に間隔をおき側面壁１２０８に平行して直線状に延在している。
なお、突起部３８の断面形状や隣り合う列３６の間の間隔は、それら突起部３８の上に上底板２６１０が載置されその上に利用者が乗った場合に、上底板２６１０を変形させることなく上底板２６１０を支持できる寸法で形成されている。
このような第２の実施の形態によっても第１の実施の形態と同様な効果が奏される。
【００２６】
（第３の実施の形態）
次に第３の実施の形態について図９〜図１１を参照して説明する。
第３の実施の形態のフロアパン２４Ｃでは、第２の実施の形態と同様に支持壁２６１２の構造が第１の実施の形態と異なっている。
図１０、図１１に示すように、支持壁２６１２は、下底板２６０２に延在形成された単一の凸条部４０で形成されている。
単一の凸条部４０は、互いに平行する直線部４００２と、それら直線部４００２の端部を接続する接続部４００４とで構成されている。
それら直線部４００２は、平面視した場合、便器１６が位置する側である背面板２６０６に離間接近する方向に間隔をおき背面板２６０６に平行して直線状に延在している。
図１０、図１１に示すように、複数の収容室２６１４は、下底板２６０２上で隣り合う直線部４００２の間に細長状に形成され、複数の吸水部材２８は、細長状の各収容室２６１４に収容取り出し可能に細長状に形成されている。
したがって、複数の収容室２６１４、複数の吸水部材２８も背面板２６０６に離間接近する方向に間隔をおき背面板２６０６に平行して直線状に延在している。
【００２７】
図９に示すように、上底板２６１０は隣り合う複数の収容室２６１４毎に分割してそれぞれ開閉可能に設けられ、各上底板２６１０を開くと、各上底板２６１０で隠されていた複数の収容部の全域と複数の吸水部材２８の全体が露出し、吸水部材２８の交換が簡単に行なえるように図られている。
詳細には、平面視した場合、背面板２６０６に平行して直線状に延在する細長の４枚の上底板２６１０Ａ、２６１０Ｂ、２６１０Ｃ、２６１０Ｄが、背面板２６０６に離間接近する方向に並べられて設けられている。
４枚の上底板２６１０Ａ、２６１０Ｂ、２６１０Ｃ、２６１０Ｄの長手方向の端部に開閉用操作部３４が設けられ、４枚の上底板２６１０Ａ、２６１０Ｂ、２６１０Ｃ、２６１０Ｄの開閉が円滑になされるように図られ、本実施の形態では、４枚の上底板２６１０Ａ、２６１０Ｂ、２６１０Ｃ、２６１０Ｄの洗面台１８側の縁に、開閉用操作部３４として指掛け用の欠部が設けられている。
【００２８】
このような第３の実施の形態によっても第１の実施の形態と同様な効果が奏される。
すなわち、利用者が化粧室１４に入り床面１４０２に立っても、上底板２６１０は支持壁２６１２で支持され上底板２６１０が利用者の体重により凹むことがないので、利用者が不快感を感じることは無く、吸水部材２８が潰されることもない。
また、複数の収容室２６１４と複数の吸水部材２８が上底板２６１０により隠されているので、化粧室１４の美観を損なうこともない。
そして、利用者が便器１６の蓋を開け、便座上で足を洗うことなどで、水がフロアパン２４Ａの上底板２６１０の上面に飛散した場合、上底板２６１０の上面の水案内部３２上に飛散した水は、第１の実施の形態と同様に、大部分が水案内部３２を介して吸水部材２８に吸い取られるため、フロアパン２４Ａの上底板２６１０の上面に残存する水は少なく、短時間のうちに上底板２６１０の上面から蒸発する。
したがって、上底板２６１０の上面に水が飛散し濡れたとしても、短時間で濡れた状態が解消するため、衛生上、美観上好ましい状態に化粧室１４を維持する上で有利となる。
また、客室乗務員がペーパータオルで化粧室１４の床面１４０２の水を拭き取る作業の必要頻度が低減し、清掃作業の簡素化を図る上で有利となる。
【００２９】
また、水を吸い取った吸水部材２８を交換する場合は、開閉用操作部３４に指を掛けて上底板２６１０を開き、あるいは上底板２６１０を取り外し、吸水部材２８を把持して収容室２６１４から取り出し、代わりに新しい吸水部材２８を収容室２６１４に挿入する簡単な作業で足り、化粧室１４のメンテナンス作業の簡素化を図る上で有利となる。
また、上底板２６１０が複数に分割されているので、一枚の上底板２６１０を開く毎に複数の吸水部材２８の交換を行なえ、化粧室１４のメンテナンス作業の簡素化を図る上で有利となり、一枚の上底板２６１０を開いた際に、吸水能力の限界まで水を吸い取った吸水部材２８のみを交換し、吸水能力が残っている吸水部材２８をそのまま存置させるなどの細かい対応をとることができ、吸水部材２８の交換頻度を減少させコストダウンを図る上で有利となる。
また、一枚の上底板２６１０を開き、露出する複数の吸水部材２８が全て吸水能力を有している場合には、吸水部材２８を交換することなくそのまま上底板２６１０を閉じればよく、化粧室１４のメンテナンス作業の簡素化を図る上で有利となる。
【００３０】
また、本実施の形態では、背面板２６０６に平行して直線状に延在する細長の４枚の上底板２６１０Ａ、２６１０Ｂ、２６１０Ｃ、２６１０Ｄが、背面板２６０６に離間接近する方向に並べられて設けられているので、便器１６側に位置する２枚の上底板２６１０Ａ、２６１０Ｂは、便器１６から飛散する水が落ちる頻度が高く、便器１６から離れた２枚の上底板２６１０Ｃ、２６１０Ｄは、便器１６から飛散する水が落ちる頻度が低いことが考えられる。
したがって、客室乗務員は、便器１６側に位置する２枚の上底板２６１０Ａ、２６１０Ｂを開いて吸水部材２８の交換を行ない、便器１６から離れた２枚の上底板２６１０Ｃ、２６１０Ｄについては、吸水部材２８に吸水能力が残っていることを確認するために上底板２６１０Ｃ、２６１０Ｄを開閉する作業で足りるため、化粧室１４のメンテナンス作業の簡素化を図る上で有利となる。
すなわち、飛散する水が落ちる頻度が高い箇所と低い箇所を予測することで、化粧室１４のメンテナンス作業の簡素化を図る上で有利となる。
【００３１】
（第４の実施の形態）
次に第４の実施の形態について図１２を参照して説明する。
第４の実施の形態は第１の実施の形態の変形例であり、第１の実施の形態では、支持壁２６１２が下底板２６０２の上面に設けられていたのに対して、第４の実施の形態では、図１２（Ａ）に示すように、支持壁２６１２が上底板２６１０の下面に設けられている点が第１の実施の形態と異なっている。
すなわち、第４の実施の形態では、支持壁２６１２は、上底板２６１０の下面に互いに間隔をおいて突設され互いに平行して延在する複数の凸条部３０で形成され、下底板２６０２の上面は平坦面で形成されている。
図１２（Ｂ）に示すように、複数の吸水部材２８が並べられた下底板２６０２の上に支持壁２６１２の下端が載置され、下底板２６０２の上方に上底板２６１０が位置した状態で、複数の収容室２６１４は隣り合う凸条部３０の間に細長状にかつ直線状に延在形成され、複数の吸水部材２８は、細長状の各収容室２６１４に収容取り出し可能に配置される。
なお、上底板２６１０は第１の実施の形態と同様に１枚で構成してもよく、あるいは、複数の収容室毎に複数に分割して設けてもよい。
また、水を吸い取った吸水部材２８を交換する場合は、開閉用操作部３４に指を掛けて上底板２６１０を開き、あるいは取り外し、吸水部材２８を把持して取り出し、代わりに新しい吸水部材２８を収容室２６１４に対応する下底板２６０２の上面に載置することで行なう。
このような第４の実施の形態によっても第１の実施の形態と同様な効果が奏され、この第４の実施の形態の上底板２６１０に支持壁２６１２を設ける構成は、第１〜第３の実施の形態にも適用可能である。
【００３２】
（第５の実施の形態）
次に第５の実施の形態について図１３を参照して説明する。
第５の実施の形態は、第４の実施の形態の変形例であり、第４の実施の形態では複数の吸水部材２８を用いていたのに対して、第５の実施の形態では単一の吸水部材２８を用いた点が第２の実施の形態と異なっている。
第５の実施の形態では、図１３（Ａ）に示すように、下底板２６０２の上に下底板２６０２の上面に対応した大きさの単一の吸水部材２８が載置され、その上から図１３（Ｂ）に示すように、支持壁２６１２を有する上底板２６１０が載置され、支持壁２６１２により吸水部材２８の部分が押しつぶされる。すなわち、支持壁２６１２の下端が吸水部材２８を介して下底板２６０２上に載置され、下底板２６０２の上方に上底板２６１０が位置した状態で、隣り合う凸条部３０の間に収容室２６１４が細長状にかつ直線状に延在形成され、各収容室２６１４に吸水部材２８の部分２８Ａがそれぞれ収容されることになる。
また、吸水部材２８を交換する場合は、上底板２６１０を開き、あるいは取り外し、吸水部材２８を把持して取り出し、代わりに新しい吸水部材２８を下底板２６０２の上に載置することで行なう。
このような第５の実施の形態によっても第１の実施の形態と同様な効果が奏され、この第５の実施の形態の単一の吸水部材２８を用いる構成は、第１〜第４の実施の形態にも適用可能である。
【符号の説明】
【００３３】
１０  航空機用化粧室ユニット
１２  躯体フレーム
１２０２  底壁
１２０６  背面壁
１２０８  一対の側面壁
１４  化粧室
１４０２  床面
１６  便器
１８  洗面台
２４Ａ、２４Ｂ、２４Ｃ  フロアパン
２６０２  下底板
２６１０  上底板
２６１０Ａ、２６１０Ｂ、２６１０Ｃ、２６１０Ｄ  上底板
２６１２  支持壁
２６１４  収容室
２８  吸水部材
３０  凸条部
３２  水案内部
３６  列
３８  突起部
４０  単一の凸条部
４００２  直線部
４００４  接続部
【図１】
2019230828.tif 000003
【図２】
2019230828.tif 000004
【図３】
2019230828.tif 000005
【図４】
2019230828.tif 000006
【図５】
2019230828.tif 000007
【図６】
2019230828.tif 000008
【図７】
2019230828.tif 000009
【図８】
2019230828.tif 000010
【図９】
2019230828.tif 000011
【図１０】
2019230828.tif 000012
【図１１】
2019230828.tif 000013
【図１２】
2019230828.tif 000014
【図１３】
2019230828.tif 000015
【国際調査報告】
2019230828.tif 000016
2019230828.tif 000017
2019230828.tif 000018
2019230828.tif 000019